(57)【特許請求の範囲】
【請求項１】
符号化された入力データの拡散方法であって、
複数の所定の伝送レートの中から符号化されたユーザデータの伝送レートを決定する段階と、
拡散符号を決定する段階であって、前記拡散符号は前記伝送レートに関連する長さ及び１ビットの符号語又は１及び０の列の符号語を有する、拡散符号を決定する段階と、
伝送レートに依存した拡散シーケンスを形成するために前記拡散符号により入力データを拡散する段階であって、前記拡散符号が単一のフレーム内における全伝送レートに関連している場合には入力データの各ビットを１ビット符号語に置き換えて入力データを変調すること、前記拡散符号が半伝送レートに関連している場合には入力データの各ビットを２ビット符号語に置き換えて入力データを変調すること、前記拡散符号が１／８伝送レートに関連している場合には入力データの各ビットを８ビット符号語に置き換えて入力データを変調することを含む、前記拡散符号により入力データを拡散する段階と、
を備える、方法。
【請求項２】
前記拡散符号により入力データを拡散する前記段階は、前記拡散符号により前記入力データの排他的論理和を取り、伝送レートに依存した拡散シーケンスを形成する段階を備える請求項１記載の方法。
【請求項３】
伝送レートを決定する前記段階は、ボイスコーダ（ボコーダ）伝送レートを決定する段階を備える請求項１記載の方法。
【請求項４】
請求項１に記載の方法により符号化され、かつ拡散されたデータの復号方法であって、
複数の拡散符号を決定する段階であって、前記複数の拡散符号の各々は、複数の可能性のある伝送レートの個々の伝送レートに関連する長さ及び１ビットの符号語又は１及び０の列の符号語を有する、複数の拡散符号を決定する段階と、
複数の逆拡散済データシーケンスを形成するために前記複数の拡散符号の各拡散符号によりデータを逆拡散する段階であって、前記拡散符号が単一のフレーム内における全伝送レートに関連している場合には１ビット符号語を用い、前記拡散符号が半伝送レートに関連している場合には２ビット符号語を用い、前記拡散符号が１／８伝送レートに関連している場合には８ビット符号語を用いてデータを復調することを含む、データを逆拡散する段階と、
前記データを逆拡散するために使用される前記拡散符号と同じ伝送レートに関連している個々の復号器により、前記複数の逆拡散済データシーケンスの各逆拡散済データシーケンスを復号する段階と、
前記各復号化されたデータシーケンスに基づいてデータの伝送レートを決定する段階と、
を備える、方法。
【請求項５】
前記拡散符号によりデータを逆拡散する前記段階は、前記複数の拡散符号の各拡散符号により前記入力データの排他的論理和を取り、複数の逆拡散済データシーケンスを形成する段階を備える請求項４記載の方法。
【請求項６】
装置であって、
前記複数の所定の伝送レートの中から受信した入力データの伝送レートを決定する手段と、
拡散符号を出力する符号発生器であって、前記拡散符号は前記伝送レートに関連する長さ及び１ビットの符号語又は１及び０の列の符号語を有し、前記符号発生器は、前記拡散符号が単一のフレーム内における全伝送レートに関連している場合には入力データの各ビットを１ビット符号語に置き換えて前記拡散符号を出力し、前記拡散符号が半伝送レートに関連している場合には入力データの各ビットを２ビット符号語に置き換えて前記拡散符号を出力し、前記拡散符号が１／８伝送レートに関連している場合には入力データの各ビットを８ビット符号語に置き換えて前記拡散符号を出力する、符号発生器と、
前記拡散符号とデータとを入力し、前記拡散符号によって拡散された拡散データを出力して、伝送レートに依存した拡散済シーケンスを形成する排他的論理和回路と、
を備える装置。
【発明の詳細な説明】
【０００１】
【発明の属する技術分野】
本発明は通信システムに関し、より詳細には通信システムにおいてシンボルを拡散する方法および装置に関する。
【０００２】
【従来の技術】
現在の符号分割多重アクセス（ＣＤＭＡ）通信システムにおいて、送信されるべきデータは伝送レートに基づき１フレーム内で反復される。より詳細には、音声符号化データは特定の伝送レートにて音声符号器を出ると共に、畳込み的に符号化される。各シンボルが畳込み符号器を出たとき、各シンボルは現在の伝送レートに基づき多数回反復される。その様に各シンボルを同時に反復した結果として、空気界面を介したデータ・レートは伝送レートに関わりなく一定となる。これは図１に示される。示された如く畳込み符号器１１２は、該畳込み符号器１１２が入力データ・レートの２倍でデータ・シンボル１１４を出力する如く、１個のデータ・ビットを２個のデータ・シンボルとする固定符号化率（すなわちレートは１／２）にて入力データ・ビット１１０を符号化する。この場合、入力ビット“０”は畳込み的に符号化されてシンボル“０１”に帰着する。符号器１１２の出力はシンボル反復器１１６に入力され、上記伝送レート（すなわち、全、半、１／４、または１／８）に基づく回数だけ反復される。この特定例において、上記シンボルは１回反復され、半レート伝送（ｈａｌｆ−ｒａｔｅ  ｔｒａｎｓｍｉｓｓｉｏｎ）を表している。
【０００３】
【発明が解決しようとする課題】
現在における上記伝送方式による主な問題のひとつは、下位レート伝送（特に（１／８）レート・フレームの場合）に対してデータ反復が使用される結果、受信器による伝送レートの決定が誤りとなることである。より詳細には、各シンボルは所定回数だけ反復されることから、極めて長いゼロの列（ｓｔｒｉｎｇ）が生成される可能性がある。これらのゼロの列は全レート復号器により容易に復号化されてしまい、極めて低いシンボル・エラー率（ＳＥＲ）の全レート・フレームとして誤って復号化されるフレームに帰着することが報告されている。故に、通信システムにおける誤り発生を減少すべく該通信システムにおいて伝送を行う方法および装置に対する要望が在る。
【０００４】
【課題を解決するための手段】
上述の要望に対処すべく、本発明においてはシンボルを拡散する方法および装置が提供される。シンボル拡散器は、符号発生器および排他的論理和回路を備える。本発明の好適実施例において上記符号発生器は、現在の伝送レートに依存する長さおよび値を有する符号を生成する。この符号は次に、到来するデータ・ストリームと排他的論理和が取られ、拡散済データ（ｓｐｒｅａｄ  ｄａｔａ）を生成する。
【０００５】
各シンボルはｎビット符号語により置き換えられることから、先行技術による上記問題は相当に減少される。より詳細には、先行技術のシンボル反復器により生成される長列のゼロは相当に減少される。結果として、ひとつの伝送レートに対する有効符号化シーケンスと別の伝送レートに対する有効符号化シーケンスとの間のハミング距離は相当に増大される。ハミング距離がこの様に増大することから、フレームを正しく復号化する可能性が高められる。
【０００６】
本発明は、データを拡散する方法を包含する。該方法は、伝送レートを決定する段階と、上記伝送レートに基づく長さを有する拡散符号を決定する段階と、上記拡散符号によりデータを拡散する段階とを含む。
【０００７】
本発明は更に、データを逆拡散する方法を包含する。該方法は、伝送レートを決定する段階と、上記伝送レートに基づく長さを有する拡散符号を決定する段階と、上記拡散符号によりデータを逆拡散する段階と、を含む。
【０００８】
本発明は更に、伝送レートに依存する長さを有する拡散符号を出力する符号発生器と、上記拡散符号とデータとを入力として拡散済データを出力する排他的論理和回路と、を備える装置を包含する。
【０００９】
本発明は更に、データを入力として有する第１逆拡散器であって第１値および第１長さを有する第１拡散符号により排他的論理和が取られた上記データを出力する第１逆拡散器と、上記データを入力として有する第２逆拡散器であって第２値および第２長さを有する第２拡散符号により排他的論理和が取られた上記データを出力する第２逆拡散器とを備える装置も包含する。上記第１拡散符号と排他的論理和が取られた上記データを入力として有する第１ビタビ復号器であって復号化測定値をレート決定器に出力する第１ビタビ復号器が配備され、且つ、上記第２拡散符号と排他的論理和が取られた上記データを入力として有する第２ビタビ復号器であって復号化測定値を上記レート決定器に出力する第２ビタビ復号器が配備される。
【００１０】
本発明は更に、データを入力として有する畳込み符号器であって畳込み的に符号化されたデータを出力する畳込み符号器と、上記畳込み的に符号化されたデータと伝送レートとを入力として有すると共に拡散済シンボルを出力するシンボル拡散器とを備え、上記拡散済シンボルは上記伝送レートに依存する拡散符号により拡散される装置を包含する。
【００１１】
【作用】
本発明の方法および装置においては、先行技術の如くデータ・シンボルを単に反復するのでは無く、そのときの伝送レートに基づく長さの拡散符号によりデータを拡散し、また、斯かる拡散を行う上では上記拡散符号とデータとの排他的論理和が取られる。
【００１２】
【発明の実施の形態】
同一の番号は同一の構成要素を示すという添付の各図面を参照すると、図２は本発明の好適実施例に係る基地局送信器２００のブロック図である。本発明の好適実施例において通信システム２００は、電子工業協会／電気通信工業協会暫定規格９５Ｃ（ＴＩＡ／ＥＩＡ／ＩＳ−９５Ｃ）のセル・システム遠隔ユニット−基地局互換性規格に記述された如き直接的シーケンス符号分割多重アクセス（ＣＤＭＡ）を利用する。但し代替実施例において基地局送信器２００は、限定的なものとしてでなく、ＵＭＴＳ広帯域ＣＤＭＡ  ＳＭＧ２  ＵＭＴＳ物理レイヤ・エキスパート・グループＴｄｏｃ  ＳＭＧ２  ＵＭＴＳ−Ｌ１  ２２２／９８（ＵＭＴＳ  ２２２／９８）に記述された次世代ＣＤＭＡアーキテクチャ、ｃｄｍａ２０００国際電気通信連合−無線通信（ＩＴＵ−Ｒ）無線伝送技術（ＲＴＴ）候補提出書類に記述された次世代ＣＤＭＡアーキテクチャ、“１．８〜２．０ＧＨｚ符号分割多重アクセス（ＣＤＭＡ）個人通信システムに対する個人局−基地局互換性要件”（アメリカ全国規格協会（ＡＮＳＩ）Ｊ−ＳＴＤ−００８）に記述されたＣＤＭＡシステム・プロトコル、欧州電気通信標準化機構（ＥＴＳＩ）広帯域ＣＤＭＡ（Ｗ−ＣＤＭＡ）プロトコルなどの、他のデジタル・セル式通信システムプロトコルを利用し得る。本発明はまた、情報を搬送すべく符号選択技術を利用する直接シーケンス・スペクトル拡散システムにも適用可能である。たとえばユーザ情報は、非常に多数であるＮ個の直交波形から特別に選択された複数個であるｎ個の直交波形を介して伝送され得る。本発明は、これらの通信システムの順方向および逆方向送信経路の両者に対して適用可能である。
【００１３】
作動の間において信号２０６（トラフィック・チャネル・データ・ビット）は、特定のビット・レート（たとえば８．６ｋビット／秒）でチャネル・マルチプレクサ２０８により受信される。入力トラフィック・チャネル・データ２０６のビットは典型的には：特定の伝送レートにてボコーダによりデータへと変換された音声；純粋なデータ；または、これらの２通りのデータの組合せ；を含む。チャネル・マルチプレクサ２０８は、２次的トラフィック（たとえば、データ、テールビット［ｔａｉｌ  ｂｉｔｓ］など）および／または信号送受信トラフィック（たとえば制御またはユーザ・メッセージ）をトラフィック・チャネル・データ２０６に多重化し、多重化データ２１０を９．６ｋビット／秒にて畳込み符号器２１２へと出力する。畳込み符号器２１２は、引き続き行われる各データ・シンボルから各データ・ビットへの最尤復号化を促進する符号化アルゴリズム（たとえば畳込みまたはブロック符号化アルゴリズム）により固定符号化率にて、入力データ・ビット２１０をデータ・シンボルへと符号化する。たとえば畳込み符号器２１２は（９．６ｋビット／秒で受信された）入力データ・ビット２１０を、該畳込み符号器２１２が１９．２ｋシンボル／秒の速度でデータ・シンボル２１４を出力する如く、１個のデータ・ビットを２個のデータ・シンボルとする固定符号化率（すなわちレートは１／２）にて符号化する。
【００１４】
本発明の好適実施例において、先行技術のシンボル反復器１１６はシンボル拡散演算により置き換えられている。データ・シンボル２１４は符号器２１２を出てシンボル拡散器２１６へと入力されるが、シンボル拡散器２１６にて個々のシンボルはそれらのボコーダ伝送レート（たとえば、全、半、１／４、または、１／８）に従い拡散される。拡散済シンボル２１８は拡散器２１６を出てインターリーブ器２２０に入る。インターリーブ器２２０は各拡散済シンボル２１８をシンボル・レベルでインターリーブする。インターリーブ器２２０において拡散済シンボル２１８は、各拡散済シンボル２１８の所定サイズのブロックを定義する行列へと個別に入力される。各拡散済シンボル２１８は、上記行列が一列ずつ埋められる様にして該行列内の各箇所に入力される。而して各拡散済シンボル２１８は、上記行列が一行ずつ取り出される様にして上記行列の各箇所から出力される。典型的に上記行列は行数と列数とが等しい正方行列であるが、連続的に入力される非インターリーブ・データ・シンボル間の出力インターリーブ距離を増大すべく他の行列形態が選択され得る。インターリーブ済データ・シンボル２２２は、それらが入力されたデータ・シンボル・レート（たとえば１９．２ｋシンボル／秒）にてインターリーブ器２２０により出力される。上記行列により定義されるデータ・シンボルのブロックの所定サイズは、所定長の伝送ブロック内において所定シンボル・レートにて伝送され得るデータ・シンボルの最大数から導出される。たとえば、伝送ブロックの所定長が２０ミリ秒であれば、各データ・シンボルのブロックの所定サイズは（１９．２ｋシンボル／秒）×（２０ミリ秒）であり、これは１６×２４行列を定義する３８４個のデータ・シンボルに等しい。
【００１５】
各インターリーブ済データ・シンボル２２２は長符号スクランブラ２２４に入力され、そこでシンボル２２２は長符号（ｌｏｎｇ  ｃｏｄｅ）によりスクランブルを掛けられる。各スクランブル済シンボル２２６は直交符号器２２８に入る。直交符号器２２８は、インターリーブされてスクランブルを掛けられたデータ・シンボル２２６の各々に対して直交符号（たとえば６４相ウォルシュ符号［６４−ａｒｙ  Ｗａｌｓｈ  ｃｏｄｅ］）を、２を法として加算する。たとえば６４値直交符号化においては、インターリーブされてスクランブルを掛けられたデータ・シンボル２２６は各々、６４シンボル直交符号またはその逆元（ｉｎｖｅｒｓｅ）により置き換えられる。これらの６４直交符号は好適には、ウォルシュ符号が行列の１行もしくは１列であるという６４×６４アダマール行列からの各ウォルシュ符号に対応する。直交符号器２２８は、入力データ・シンボル２２６に対応するウォルシュ符号またはその逆元を固定シンボル・レート（たとえば１９．２ｋシンボル／秒）にて反復的に出力する。
【００１６】
各ウォルシュ符号２３０のシーケンスは、一対の短擬似ランダム符号２３２（すなわち、上記長符号と比較した場合に短い）によりスクランブルを掛けられ、Ｉ−チャンネルおよびＱ−チャネル符号拡散シーケンスを生成する。このＩ−チャンネルおよびＱ−チャネル符号拡散シーケンスは、直角離角の一対の正弦曲線のパワーレベル制御を行うことでこの一対の正弦曲線を２位相変調すべく使用される。上記各正弦曲線出力信号は、加算されると共に、変調器２３４により帯域通過フィルタリングされ、ＲＦ周波数へと変換され、増幅され、フィルタリングされると共にアンテナ２３６により発射されることで、チャネル・データ・ビット２１０の伝送が完了される。
【００１７】
図３は、本発明の好適実施例に係る図２の上記シンボル拡散器のブロック図である。拡散器２１６は、符号発生器３０１および排他的論理和回路３０３を備える。本発明の好適実施例において符号発生器３０１は、現在のボコーダ伝送レートに依存する長さおよび値を有する符号を生成する。この符号は次に、到来データ・ストリームと排他的論理和が取られ、拡散済データを生成する。
【００１８】
畳込み符号器ビットの各々はｎビット符号語により置き換えられることから、先行技術に伴う上記問題は相当に減少される。より詳細には、先行技術のシンボル反復器により生成される長いゼロの列が相当に減少される。これは、表１および表２に示される。
【００１９】
【表１】
0004357784.tif 000002
【００２０】
【表２】
0004357784.tif 000003
表１は、出力として“００”を生成すべくレート１／２畳込み符号器に入力される“０”を示している。先行技術のシンボル反復器は単に上記畳込み符号器からの出力を反復することから、（１／８）レート伝送の間において“００”は単純に８回反復される。明らかに、これは長いゼロの列に帰着し、受信器の誤り発生率を増大し得る。先行技術の反復器により生成される長いゼロの列と対照的に、本発明の好適実施例において上記畳込み符号器からの出力は、各ビットがｎビット符号語またはその逆元により置き換えられる（この場合、（１／８）レートに対してＮ＝８、（１／４）レートに対してＮ＝４，半レートに対してＮ＝２、且つ、全レートに対してＮ＝１である）。この例において上記畳込み符号器からの各“０”は８ビット符号語１０１０１０１０と排他的論理和が取られる結果、“００”は０１０１０１０１０１０１０１０１の列により置き換えられる。
【００２１】
尚、“１”または“０”と符号語の排他的論理和を取る（２を法として加算する）と、夫々、その符号語またはその逆元に帰着することを銘記されたい。たとえば、１０１０１０１０で“１”の排他的論理和を取ると１０１０１０１０に帰着する一方、同一の符号語で“０”の排他的論理和を取ると０１０１０１０１に帰着する。
【００２２】
図４は、本発明の好適実施例に係る復号器４００のブロック図である。伝送された信号の伝送レートは先験的には知られないことから、上記データを復号化して適切な伝送レートを決定すべく上記復号器は数個の復号器４０６乃至４０９を利用する。より詳細には、送信器によりどのレートが採用されたかに関する判断は典型的には、レート決定アルゴリズム（ＲＤＡ）を利用する、受信器のレート決定器４１０により実施される。復号器４０６乃至４０９は測定値または復号化特性を決定器４１０へと受け渡し、決定器４１０は各復号器４０６乃至４０９からの復号化特性を使用することで、受信されたフレームがどのレートにて伝送されたか、且つ／又は、フレームが使用可能か否かを決定する。フレームが多すぎるビット・エラーを含むかまたはそのレートが決定され得なければ、そのフレームは抹消と宣言される。ＲＤＡは典型的には、レートを決定する上で従うべき一連の規則を有する。たとえば斯かる規則は以下の如きものとされ得る。
【００２３】
0004357784.tif 000004
式中、ＣＲＣx は特定レートに対する巡回冗長検査であり、
ＳＥＲx は特定レートに対するシンボル・エラー率であり、且つ、
ＳＥＲxthresholdはＳＥＲx 比較スレッショルドである。
【００２４】
種々のボコーダ伝送レートに対してデータを復号化すべく、復号器４００はビタビ（Ｖｉｔｅｒｂｉ）復号化の前に先ずシンボルの逆拡散（ｄｅｓｐｒｅａｄｉｎｇ）を実施せねばならない。故に本発明の好適実施例に依れば、インターリーブ解除されたデータが３個の逆拡散器４０３乃至４０５へと受け渡される。逆拡散器４０３乃至４０５は逆拡散のために、現在の伝送レートに基づく長さＮの符号語を利用する。上述の如くＮは、（１／８）レートに対して８であり、（１／４）レートに対して４であり、（１／２）レートに対して２である。当業者であれば、逆拡散のために使用される符号語は拡散演算において使用されたのと同一の符号語であるべきことを理解し得よう。適切な符号語（拡散符号）により受信データの排他的論理和を取ることにより、伝送されたデータの厳密な複製が得られる。
【００２５】
図５は、本発明の好適実施例に係る図３の上記シンボル拡散器の作用を示すフローチャートである。論理フローはステップ５０１で開始し、伝送レートおよび各シンボルが拡散器２１６に入る。符号発生器は上記伝送レートを分析し、各シンボルを拡散するための特定の拡散符号を決定する（ステップ５０３）。上述された如く本発明の好適実施例において、上記特定の拡散符号は選択された伝送レートに基づく長さを有する。本発明の好適実施例において上記各符号語は完全に独立している。換言すると、上記伝送レートに基づき各符号語の長さが変化するだけでなく、１および０から成る実際の列も変化する。たとえば本発明の好適実施例において半レート符号語は０１である一方、（１／４）レート符号および（１／８）レート符号は夫々、１０１０および１１００１１００である。最後にステップ５０５にて、上記畳込み符号器から出力された各ビットは上記拡散符号により拡散される。
【００２６】
上記で論じられた如く畳込み符号器の各ビットはｎビット符号語により置き換えられることから、先行技術に伴う上記問題は相当に減少される。より詳細には、先行技術のシンボル反復器により生成される長いゼロの列は相当に減少される。結果として、ひとつの伝送レートに対する有効符号化シーケンスと別の伝送レートに対する有効符号化シーケンスとの間のハミング距離は相当に増大される。ハミング距離がこの様に増大することから、フレームを正しく復号化する可能性が高められる。
【００２７】
図６は、本発明の好適実施例に係る図４の上記復号器の作用を示すフローチャートである。論理フローはステップ６０１で開始し、インターリーブ解除されたデータは複数の逆拡散器（たとえば（１／２）レート、（１／４）レートおよび（１／８）レート逆拡散器）に入る。ステップ６０３にて上記各逆拡散器は、上記伝送レートに基づく長さおよび値を有する拡散符号により上記データを逆拡散する。最後にステップ６０５にて上記逆拡散済データは復号化のために複数の復号器に対し出力される。
【００２８】
本発明は特定の実施例に関して特に図示かつ記述されたが、当業者であれば、本発明の精神および有効範囲から逸脱せずに形態および詳細の種々の変更が為され得ることは理解される。たとえば本発明の代替実施例においてシンボル拡散は特定の伝送レート（たとえば（１／８）レート伝送）に対してのみ行われる。この場合、符号器を出る他の全ての伝送レート（たとえば全、半、（１／４））に対する各シンボルは、先行技術における如く単に反復される。図７には、斯かる拡散器が示されている。示された如く拡散器２１６は、先行技術のシンボル反復器７０１およびスィッチ７０３を備える。シンボル拡散は上述の如く行われると共に、シンボル反復は先行技術の如く行われる。スィッチ７０３は現在の伝送レートに依存し、先行技術の反復シンボルを受け渡し、または、拡散済シンボルを受け渡すべく機能する。上記代替実施例においては（１／８）レート伝送に対してのみ拡散が行われ、他の全てのレートは先行技術で記述された如く単純に反復される。斯かる変更は、添付の請求の範囲の有効範囲内であることが企図される。
【００２９】
【発明の効果】
本発明の方法および装置に依れば、先行技術のシンボル反復器により生成される長列のゼロは相当に減少される。故に、ひとつの伝送レートに対する有効符号化シーケンスと別の伝送レートに対する有効符号化シーケンスとの間のハミング距離は相当に増大される。ハミング距離がこの様に増大することから、フレームを正しく復号化する可能性が高められる。その結果、通信システムにおける誤り発生を減少すべく該通信システムにおいて伝送を行う方法および装置が提供される。
【図面の簡単な説明】
【図１】  本発明の好適実施例に依る先行技術のシンボル反復を示す図である。
【図２】  本発明の好適実施例に係る基地局送信器のブロック図である。
【図３】  本発明の好適実施例に係る図２のシンボル拡散器のブロック図である。
【図４】  本発明の好適実施例に係る復号器のブロック図である。
【図５】  本発明の好適実施例に係る図２の上記シンボル拡散器の作用を示すフローチャートである。
【図６】  本発明の好適実施例に係る図４の上記復号器の作用を示すフローチャートである。
【図７】  本発明の代替実施例に係るシンボル拡散器のブロック図である。
【符号の説明】
１１０…入力データ・ビット、１１２…畳込み符号器、１１４…データ・シンボル、１１６…シンボル反復器、２００…基地局送信器、２０６…入力データ・シンボル、２０８…チャネル・マルチプレクサ、２１０…多重化データ、２１２…畳込み符号器、２１４…データ・シンボル、２１６…シンボル拡散器、２１８…拡散済シンボル、２２０…インターリーブ器、２２２…インターリーブ済データ・シンボル、２２４…長符号スクランブラ、２２６…スクランブル済シンボル、２２８…直交符号器、２３０…ウォルシュ符号、２３２…短擬似ランダム符号、２３４…変調器、２３６…アンテナ、３０１…符号発生器、３０３…排他的論理和回路、４００…復号器、４０４〜４０５…逆拡散器、４０６〜４０９…復号器、４１０…レート決定器、７０１…先行技術のシンボル反復器、７０３…スィッチ。
【図１】
0004357784.tif 000005
【図２】
0004357784.tif 000006
【図３】
0004357784.tif 000007
【図４】
0004357784.tif 000008
【図５】
0004357784.tif 000009
【図６】
0004357784.tif 000010
【図７】
0004357784.tif 000011